(57)【特許請求の範囲】
【請求項１】
車椅子本体と、該車椅子本体の両側部に外方に向けて対称的に突設された一対のフード結合部材と、前記車椅子本体と搭乗者とを覆い且つ底部が開放された略椀状の透明なフードと、該フードの該底部の両側縁部に内方に向けて対称的に突設された一対の車椅子結合部材とを含み、前記フードを該後部の周縁が接地するよう置いたとき、前記車椅子結合部材の取付位置が前記フード結合部材の取付位置と略同じ高さにあると共に、前記車椅子の後退により前記一対のフード結合部材が前記一対の車椅子結合部材に結着可能で、且つ、前記車椅子の前進により前記一対のフード結合部材が前記一対の車椅子結合部材から脱着可能に構成されていることを特徴とする、フード付車椅子。
【請求項２】
前記フード結合部材と前記車椅子結合部材とのいずれか一方が水平方向に突出したピンを有する金具を備えたものであり、他方が該ピンを開口端から受け入れて終端まで略直線的に導く案内スリットと該案内スリットの終端に達した該ピンを検知して回動自在に捕捉する開放レバー付スナッチ・ロックとを備えたものである、請求項１に記載のフード付車椅子。
【請求項３】
前記フードを該後部の周縁が接地するよう置いたとき、前記車椅子結合部材の前記案内スリットが水平であり、該案内スリットの開口端が前記フードの底部側方向に向かうよう構成されている、請求項２に記載のフード付車椅子。
【請求項４】
前記フード結合部材の前記案内スリットが水平であり、該案内スリットの開口端が前記車椅子本体の背面側方向に向かうよう構成されている、請求項２に記載のフード付車椅子。
【請求項５】
前記フードにおける底部の左右側縁と後部の左右側縁との左右境部を結合する連結部材が前記車椅子本体の車輪に接触しない範囲において、該左右境部より前方位置に設けた前記車椅子結合部材が前記フード結合部材と結合できるように構成されている、請求項１ないし４のいずれかに記載のフード付車椅子。
【発明の詳細な説明】
【０００１】
【発明の属する技術分野】
本発明は、フード付車椅子に関するものであり、さらに詳しくは、一人でもフードの着脱が可能なフード付車椅子に関するものである。
【０００２】
【従来の技術】
現在、車椅子の利用者は、雨の日や、風の日、或いは寒い日の外出の際には、コート・雨合羽等を使用して対応しているが、その不便さは健常者には想像のつかないものがある。
【０００３】
【発明が解決しようとする課題】
そして、車椅子の利用者がいつでも簡単に外出できるように、風雨を凌げるのみでなく、他人の手を借りることなく一人でも着脱操作ができる、フード付車椅子の開発が望まれていた。
従って本発明は、風雨を凌ぐことができ、かつ使用者が一人で着脱操作できるフードを組み合わせた、フード付車椅子を提供することを目的としている。
【０００４】
【課題を解決するための手段】
本発明にかかるフード付車椅子は、その手段として、車椅子本体と、該車椅子本体の両側部に外方に向けて対称的に突設された一対のフード結合部材と、前記車椅子本体と搭乗者とを覆い且つ底部が開放された略椀状の透明なフードと、該フードの該底部の両側縁部に内方に向けて対称的に突設された一対の車椅子結合部材とを含み、前記フードを該後部の周縁が接地するよう置いたとき、前記車椅子結合部材の取付位置が前記フード結合部材の取付位置と略同じ高さにあると共に、前記車椅子の後退により前記一対のフード結合部材が前記一対の車椅子結合部材に結着可能で、且つ、前記車椅子の前進により前記一対のフード結合部材が前記一対の車椅子結合部材から脱着可能に構成されたことを要旨とするものである。
【０００５】
また、本発明において、前記フード結合部材と前記車椅子結合部材とのいずれか一方が水平方向に突出したピンを有する金具を備えたものであり、他方が該ピンを開口端から受け入れて終端まで略直線的に導く案内スリットと該案内スリットの終端に達した該ピンを検知して回動自在に捕捉する連結具、例えば開放レバー付スナッチ・ロックなどとを備えたものであることが望ましい。
【０００６】
そして本発明は、前記フードを該後部の周縁が接地するよう置いたとき、前記車椅子結合部材の前記案内スリットが水平であり、該案内スリットの開口端が前記フードの底部側方向に向かうよう構成されているものでもよく、或いは、前記フード結合部材の前記案内スリットが水平であり、該案内スリットの開口端が前記車椅子本体の背面側方向に向かうよう構成されているものでもよい。
【０００７】
さらに、前記フードにおける底部の左右側縁と後部の左右側縁との左右境部を結合する連結部材が前記車椅子本体の車輪に接触しない範囲において、該左右境部より前方位置に設けた前記車椅子結合部材が前記フード結合部材と結合できるように構成されていることが望ましい。
【０００８】
【発明の実施の形態】
図１は、本発明にかかるフード付車椅子の全体を示す斜視図であり、図２は、前記フード付車椅子の正面図である。図中、１は車椅子本体、２はアクリル樹脂又はポリカーボネート樹脂製などの透明なフードであって、アルミニウム管などの骨組で補強され、前部２１は略流線形状をしており、底部２２と後部２３は開放されている。そして、前記フード２の底部２２と後部２３の左右両側縁の境部は、連結部材２８により結合してある。
【０００９】
図２から明らかなように、前記車椅子本体１の両側部には、一対のフード結合部材が設けられている。該フード結合部材の一部を構成する取付部材１１は、車椅子の車輪部分を囲繞するように前方が湾曲し、中間部から後方部は直線状をした梯子状の部材で、全体が略水平を維持して車輪のハブ付近を通過するように、溶接により固定されている。
【００１０】
一方、フード２は、図示のとおり開放した底部２２が車椅子本体１に対向する姿勢で、開放した後部２３を接地して地面上に置かれている。そして、前記取付部材１１には、図４に示すような平板状の車椅子側取付金具１２が、前記フード結合部材の一部として、ボルトとナットによって固定されている。さらに各車椅子側取付金具１２には、車椅子本体１と反対の方向に向かって突出するように、ピン１３が固定して設けられている。
【００１１】
他方、図３及び５に図示するように、前記フード２の開放した底部２２の両側縁２４には、前記車椅子結合部材の一部として、断面が略チャンネル状のフード側取付金具２６が、支持部２５を介して固定されている。そして、該フード側取付金具２６の両脚部２６ａ、２６ｂは、前記フード２の開放した後部２３が地面に接地した状態のとき、互いに上下方向に配設された姿勢となるように、設けられている。
【００１２】
さらに、フード２の開放した後部２３が接地した状態で置かれたとき、前記チャンネル状のフード側取付金具２６の結合部２６ｃには、水平方向に延長した案内スリット２６ｄが形成されている。そして、該案内スリット２６ｄの前方端はフードの底部側方向に向かって開口しており、その位置は、前記車椅子本体１のフード結合部材のピン１３と、高さが同じとなるように設定されている。
【００１３】
そこで、図６〜図７に示すように、前記フードの開放した底部２２の前に、前記車椅子本体１を後ろ向きに導き、次いで車椅子本体１のフード結合部材のピン１３を、フード２の車椅子結合部材の案内スリット２６ｄの位置に正対させ、さらに車椅子本体１をフード２に向かって後退させる。そうすると、フード２の開放した底部２２に車椅子本体１の後部が入り込み、図３と図５に示すように、前記ピン１３は前記案内スリット２６ｄ内に進入して、更にその奥の方へ案内されることになる。
【００１４】
また、前記案内スリット２６ｄが設けられている前記結合部２６ｃの外側、即ち車椅子本体１に面する側には、連結具２７として、例えば公知のスナッチ・ロックが取り付けられており、該スナッチ・ロックのピン捕捉溝２７ａが、前記案内スリット２６ｄと並ぶように設けられている。従って、前記ピン１３は、前記案内スリット２６ｄに沿って導かれると、前記ピン捕捉溝２７ａの中に進んで、前記連結具２７のロック片２７ｂを押すことになる。そして、ピン１３が案内スリット２６ｄの終端位置に達すると共に、ピン１３に押されていた該ロック片２７ｂは元の位置に復帰して、ピン１３は回動自在にロックされる。
【００１５】
その後、図８と図９に示すように、前記フード２の解放した底部２２の両側縁２４に設けられたハンドル１４を、搭乗者が自ら把持して、フード２を前方に回動させると、車椅子本体１と搭乗者はフード２により覆われ、風雨から完全に保護される状態となる。
【００１６】
また、車椅子本体１からフード２を取り外そうとするときは、前記と逆の手順により、先ずフード２を後方に回動させて、フード２の後部２３を地面に接地させる。その後に前記連結具２７の解除レバー２７ｃを操作すると、ロック片２７ｂが回動自由となって、ピン１３がロック状態から解放される。そこで、この状態で車椅子本体１を前進させると、ピン１３は案内スリット２６ｄから抜け出し、車椅子本体１のフード結合部材はフード２の車椅子結合部材から脱離する。
【００１７】
このように、車椅子本体１とフード２を着脱するに際して、フード２の底部２２と後部２３の境部を結合する連結部材２８は、車椅子本体１の車輪は勿論のこと、車体のどこにも接触しないことが、フード２の円滑な着脱のために必要である。そしてまた、フード２の底部２２の側縁２４に取り付けられたハンドル１４が、搭乗者の肩の位置より前側にあると、フード２を前後に回動される操作を容易とするのに有効であり、従って、ハンドル１４や車椅子結合部材２６等を取り付けるための、フード２における前記側縁２４は、図１０に示すように、連結部材２８よりも前方に向かって傾斜していることが望ましい。
【００１８】
上記に説明した本発明のフード付車椅子は、車椅子に取付けたフード結合部材が、ピン１３を有する車椅子側取付金具１２を備え、フードに取り付けた車椅子結合部材が、該ピン１３を検知して回動自在に捕捉する連結具２７を設けたフード側取付金具２６を備えた第１の態様であるが、これとは逆の構成としたものであってもよい。すなわち、本発明のフード付車椅子の第２の態様としては、フードに取り付けた車椅子結合部材がピンを備えていて、車椅子に取付けたフード結合部材が、該ピンを捕捉する連結具を備えたものを、挙げることができる。
【００１９】
前記第２の態様のフード付車椅子は、図１１に示すように、車椅子本体１の取付部材１１に対して、連結具１５を設けたフード結合部材が固定されているもので、フード２の車椅子結合部材から内向きに突設されたピンを、車椅子本体１の背面側方向に向かって開口する案内スリットにより、導くように構成されているほかは、第１の態様と略同様の構造を備えている。従って、フードを車椅子に着脱する操作は、前記した第１の態様のフード付車椅子と殆ど同様であり、さらに車椅子本体１に設けた連結具１５の作用も、前記の第１の態様と同様である。
【００２０】
【発明の効果】
本発明にかかるフード付車椅子は、車椅子本体の両側部とフードの底部両側縁部に、それぞれフード結合部材と車椅子結合部材を対向するように設けて、車椅子を後退／前進させることで、それらの結合部材を相互に結着／脱着させるように構成したので、車椅子の搭乗者が自ら車椅子を操作することにより、単独でフードを簡単容易に着脱するすることができる。そして、フード結合部材と車椅子結合部材とを、一方が結合用のピンを備え、他方が該ピンを回動自在に捕捉する連結具を備えたものとすることにより、フードの開閉着脱の操作が更に容易とすることができる。
【図面の簡単な説明】
【図１】本発明のフード付車椅子の全体構造を示す斜視図である。
【図２】本発明のフード付車椅子の正面図である。
【図３】本発明における車椅子とフードの結合部分の斜視図である。
【図４】本発明における車椅子側取付金具の斜視図である。
【図５】本発明におけるフード側取付金具の側面図である。
【図６】フードに対して車椅子の後退接近する状態を示す斜視図である。
【図７】フードに車椅子を結合する操作状態を示す斜視図である。
【図８】フードを車椅子に被せる操作状態を示す斜視図である。
【図９】車椅子にフードを被せた状態の斜視図である。
【図１０】本発明のフードの構成を示す説明図である。
【図１１】本発明のフード付車椅子の別な例の正面図である。
【符号の説明】
１          車椅子本体
１１        取付部材
１２        車椅子側取付金具
１３        ピン
１４        ハンドル
１５        連結具
２          フード
２１        前部
２２        底部
２３        後部
２４        両側縁
２５        支持部
２６        フード側取付金具
２６ａ      脚部
２６ｂ      脚部
２６ｃ      結合部
２６ｄ      案内スリット
２７        連結具
２７ａ      ピン捕捉溝
２７ｂ      ロック片
２７ｃ      解除レバー
２８        連結部材
【図１】
0003543079.tif 000002
【図２】
0003543079.tif 000003
【図３】
0003543079.tif 000004
【図４】
0003543079.tif 000005
【図５】
0003543079.tif 000006
【図６】
0003543079.tif 000007
【図７】
0003543079.tif 000008
【図８】
0003543079.tif 000009
【図９】
0003543079.tif 000010
【図１０】
0003543079.tif 000011
【図１１】
0003543079.tif 000012